(57)【特許請求の範囲】
【請求項１】
アクセス・ポイント基地局の位置決めを行う方法であって、
ユーザ機器と前記アクセス・ポイント基地局との間の通信のパフォーマンス・パラメータをモニタすることと、ここで、前記アクセス・ポイント基地局は、候補位置に位置している、
前記パフォーマンス・パラメータに基づいて、複数の可能な問題タイプのうちのどの問題タイプが、前記候補位置に関連付けられているのかを評価することと
を備える方法。
【請求項２】
前記モニタすることはさらに、前記アクセス・ポイント基地局によって利用された送信電力をモニタすることを備え、
前記パフォーマンス・パラメータは、前記送信電力に関連付けられた判定基準に基づいている、請求項１に記載の方法。
【請求項３】
前記モニタすることはさらに、前記アクセス・ポイント基地局によって利用された送信電力と、前記ユーザ機器における対応する受信電力との比較を行なうことを備え、
前記パフォーマンス・パラメータは、前記比較に基づいている、請求項２に記載の方法。
【請求項４】
前記モニタすることはさらに、前記ユーザ機器と前記アクセス・ポイント基地局との間の通信品質をモニタすることを備え、
前記パフォーマンス・パラメータは、前記通信品質に関連付けられた判定基準に基づいている、請求項１に記載の方法。
【請求項５】
前記通信品質は、欠落した通信の数、データ・スループット、または接続設定時間のうちの少なくとも１つに関連付けられている、請求項４に記載の方法。
【請求項６】
前記モニタすることはさらに、前記アクセス・ポイント基地局において干渉レベルをモニタすることを備え、
前記パフォーマンス・パラメータは、前記干渉レベルに関連付けられた判定基準に基づいている、請求項１に記載の方法。
【請求項７】
前記ユーザ機器は、予め許可されたユーザ機器のセットに含まれ、
前記モニタすることはさらに、前記予め許可されたユーザ機器のセット以外のエンティティで実行されたハンドオーバの数をモニタすることを備え、
前記パフォーマンス・パラメータは、前記予め許可されたユーザ機器のセット以外のエンティティで実行されたハンドオーバの数に関連付けられた判定基準に基づいている、請求項１に記載の方法。
【請求項８】
前記ユーザ機器は、予め許可されたユーザ機器のセットに含まれ、
前記モニタすることはさらに、前記予め許可されたユーザ機器のセット内のエンティティで実行されたハンドオーバの数をモニタすることを備え、
前記パフォーマンス・パラメータは、前記予め許可されたユーザ機器のセット内のエンティティで実行されたハンドオーバの数に関連付けられた判定基準に基づいている、請求項１に記載の方法。
【請求項９】
前記評価することはさらに、前記位置が最適な位置であるかを確認することを備える、請求項１に記載の方法。
【請求項１０】
前記評価することはさらに、前記位置が適切な位置であるかを確認することを備え、
前記確認することは、前記パフォーマンス・パラメータとパフォーマンスしきい値との間の比較に基づいている、請求項１に記載の方法。
【請求項１１】
アクセス・ポイント基地局の位置決めを行うように構成された装置であって、
メモリに格納されたコンピュータ実行可能な構成要素を実行するように構成されたプロセッサを備え、
前記構成要素は、
ユーザ機器と前記アクセス・ポイント基地局との間の通信を行うように構成された通信構成要素と、
前記通信に関連付けられたパフォーマンス・パラメータをモニタするように構成されたパフォーマンス構成要素と、ここで、前記アクセス・ポイント基地局は、候補位置に位置している、
前記パフォーマンス・パラメータに基づいて、複数の可能な問題タイプのうちのどの問題タイプが、前記候補位置に関連付けられているのかを評価するように構成された評価構成要素と
を備える、装置。
【請求項１２】
前記パフォーマンス構成要素は、前記アクセス・ポイント基地局によって利用された送信電力を確認するように構成され、
前記パフォーマンス・パラメータは、前記送信電力に関連付けられた判定基準に基づいている、請求項１１に記載の装置。
【請求項１３】
前記パフォーマンス構成要素は、前記アクセス・ポイント基地局によって利用された送信電力と、前記ユーザ機器における対応する受信電力との比較を行なうように構成され、
前記パフォーマンス・パラメータは、前記比較に基づいている、請求項１２に記載の装置。
【請求項１４】
前記パフォーマンス構成要素は、前記ユーザ機器と前記アクセス・ポイント基地局との間の通信品質を確認するように構成され、
前記パフォーマンス・パラメータは、前記通信品質に関連付けられた判定基準に基づいている、請求項１１に記載の装置。
【請求項１５】
前記通信品質は、欠落した通信の数、データ・スループット、または接続設定時間のうちの少なくとも１つに関連付けられている、請求項１４に記載の装置。
【請求項１６】
前記パフォーマンス構成要素は、前記アクセス・ポイント基地局において干渉レベルを確認するように構成され、
前記パフォーマンス・パラメータは、前記干渉レベルに関連付けられた判定基準に基づいている、請求項１１に記載の装置。
【請求項１７】
前記ユーザ機器は、予め許可されたユーザ機器のセットに含まれ、
前記パフォーマンス構成要素は、前記予め許可されたユーザ機器のセット以外のエンティティで実行されたハンドオーバの数を確認するように構成され、
前記パフォーマンス・パラメータは、前記予め許可されたユーザ機器のセット以外のエンティティで実行されたハンドオーバの数に関連付けられた判定基準に基づいている、請求項１１に記載の装置。
【請求項１８】
前記ユーザ機器は、予め許可されたユーザ機器のセットに含まれ、
前記パフォーマンス構成要素は、前記予め許可されたユーザ機器のセット内のエンティティで実行されたハンドオーバの数を確認するように構成され、
前記パフォーマンス・パラメータは、前記予め許可されたユーザ機器のセット内のエンティティで実行されたハンドオーバの数に関連付けられた判定基準に基づいている、請求項１１に記載の装置。
【請求項１９】
前記評価構成要素は、前記位置が最適な位置であるかを確認するように構成された、請求項１１に記載の装置。
【請求項２０】
前記評価構成要素は、前記パフォーマンス・パラメータとパフォーマンスしきい値との間の比較に基づいて、前記位置が適切な位置であるかを確認するように構成された、請求項１１に記載の装置。
【請求項２１】
アクセス・ポイント基地局の位置決めを行うコンピュータ・プログラムを記憶したコンピュータ読取可能な記憶媒体であって、さらに、
ユーザ機器と前記アクセス・ポイント基地局との間の通信のパフォーマンス・パラメータをモニタすることと、ここで、前記アクセス・ポイント基地局は、候補位置に位置している、
前記パフォーマンス・パラメータに基づいて、複数の可能な問題タイプのうちのどの問題タイプが、前記候補位置に関連付けられているのかを評価することと、
を少なくとも１つのコンピュータに対して実行させるためのコードを記憶したコンピュータ読取可能な記憶媒体。
【請求項２２】
前記コードはさらに、前記アクセス・ポイント基地局において干渉レベルを確認することを前記少なくとも１つのコンピュータに対して実行させ、
前記パフォーマンス・パラメータは、前記干渉レベルに関連付けられた判定基準に基づいている、請求項２１に記載のコンピュータ読取可能な記憶媒体。
【請求項２３】
前記ユーザ機器は、予め許可されたユーザ機器のセットに含まれ、
前記コードはさらに、前記予め許可されたユーザ機器のセット以外のエンティティで実行されたハンドオーバの数を確認することを前記少なくとも１つのコンピュータに対して実行させ、
前記パフォーマンス・パラメータは、前記予め許可されたユーザ機器のセット以外のエンティティで実行されたハンドオーバの数に関連付けられた判定基準に基づいている、請求項２１に記載のコンピュータ読取可能な記憶媒体。
【請求項２４】
前記ユーザ機器は、予め許可されたユーザ機器のセットに含まれ、
前記コードはさらに、前記予め許可されたユーザ機器のセット内のエンティティで実行されたハンドオーバの数を確認することを前記少なくとも１つのコンピュータに対して実行させ、
前記パフォーマンス・パラメータは、前記予め許可されたユーザ機器のセット内のエンティティで実行されたハンドオーバの数に関連付けられた判定基準に基づいている、請求項２１に記載のコンピュータ読取可能な記憶媒体。
【請求項２５】
前記コードはさらに、前記位置が最適な位置であるかを確認することを前記少なくとも１つのコンピュータに対して実行させる、請求項２１に記載のコンピュータ読取可能な記憶媒体。
【請求項２６】
前記コードはさらに、前記パフォーマンス・パラメータとパフォーマンスしきい値との間の比較に基づいて、前記位置が適切な位置であるかを確認することを前記少なくとも１つのコンピュータに対して実行させる、請求項２１に記載のコンピュータ読取可能な記憶媒体。
【請求項２７】
アクセス・ポイント基地局の位置決めを行うように構成された装置であって、
ユーザ機器と前記アクセス・ポイント基地局との間の通信のパフォーマンス・パラメータをモニタする手段と、ここで、前記アクセス・ポイント基地局は、候補位置に位置している、
前記パフォーマンス・パラメータに基づいて、複数の可能な問題タイプのうちのどの問題タイプが、前記候補位置に関連付けられているのかを評価する手段と
を備える装置。
【請求項２８】
前記パフォーマンス・パラメータをモニタする手段はさらに、前記アクセス・ポイント基地局によって利用された送信電力を確認する手段を備え、
前記パフォーマンス・パラメータは、前記送信電力に関連付けられた判定基準に基づいている、請求項２７に記載の装置。
【請求項２９】
前記アクセス・ポイント基地局によって利用された送信電力を確認する手段はさらに、前記アクセス・ポイント基地局によって利用された送信電力と、前記ユーザ機器における対応する受信電力との比較を行なう手段を備え、
前記パフォーマンス・パラメータは、前記比較に基づいている、請求項２８に記載の装置。
【請求項３０】
前記パフォーマンス・パラメータをモニタする手段はさらに、前記ユーザ機器と前記アクセス・ポイント基地局との間の通信品質を確認する手段を備え、
前記パフォーマンス・パラメータは、前記通信品質に関連付けられた判定基準に基づいている、請求項２７に記載の装置。
【請求項３１】
前記通信品質は、欠落した通信の数、データ・スループット、または接続設定時間のうちの少なくとも１つに関連付けられている、請求項３０に記載の装置。
【請求項３２】
アクセス・ポイント基地局の位置決めを行う方法であって、
前記アクセス・ポイント基地局の位置が、複数の可能な問題タイプのうちのどの問題タイプに関連付けられているのかを評価することと、
前記位置の評価を通信することと
を備える方法。
【請求項３３】
前記通信することはさらに、光インジケーションを提供することを備える、請求項３２に記載の方法。
【請求項３４】
前記通信することはさらに、前記評価に関連付けられたフラッシュ周波数にしたがって前記光インジケーションをフラッシュさせることを備える、請求項３３に記載の方法。
【請求項３５】
前記通信することはさらに、前記評価に関連付けられた色スキームにしたがって前記光インジケーションをフラッシュさせることを備える、請求項３３に記載の方法。
【請求項３６】
前記通信することはさらに、オーディオ・インジケーションを提供することを備える、請求項３２に記載の方法。
【請求項３７】
前記通信することはさらに、前記評価に関連付けられたビープ周波数で前記オーディオ・インジケーションをビープさせることを備える、請求項３６に記載の方法。
【請求項３８】
前記通信することはさらに、電子メールまたはショート・メッセージ・サービスのうちの少なくとも１つによって前記評価を送信することを備える、請求項３２に記載の方法。
【請求項３９】
前記通信することはさらに、前記アクセス・ポイント基地局に関連付けられたネットワーク・エンティティに前記評価を提供することを備える、請求項３２に記載の方法。
【請求項４０】
前記通信することはさらに、前記位置が最適な位置であるかを示すことを備える、請求項３２に記載の方法。
【請求項４１】
前記通信することはさらに、前記位置に関連付けられたパフォーマンス・パラメータが、パフォーマンスしきい値を超えるかを示すことを備える、請求項３２に記載の方法。
【請求項４２】
前記通信することはさらに、前記位置に関連付けられた特定の問題タイプを示すことを備える、請求項３２に記載の方法。
【請求項４３】
アクセス・ポイント基地局の位置決めを行うように構成された装置であって、
メモリに格納されたコンピュータ実行可能な構成要素を実行するように構成されたプロセッサを備え、
前記構成要素は、
前記アクセス・ポイント基地局の位置が、複数の可能な問題タイプのうちのどの問題タイプに関連付けられているのかを評価するように構成された評価構成要素と、
前記位置の評価を通信するように構成された通信構成要素と
を備える装置。
【請求項４４】
前記通信構成要素は、光インジケーションを提供するように構成された、請求項４３に記載の装置。
【請求項４５】
前記通信構成要素は、前記評価に関連付けられたフラッシュ周波数にしたがって前記光インジケーションをフラッシュさせるように構成された、請求項４４に記載の装置。
【請求項４６】
前記通信構成要素は、前記評価に関連付けられた色スキームにしたがって前記光インジケーションをフラッシュさせるように構成された、請求項４４に記載の装置。
【請求項４７】
前記通信構成要素は、オーディオ・インジケーションを提供するように構成された、請求項４３に記載の装置。
【請求項４８】
前記通信構成要素は、前記評価に関連付けられたビープ周波数で前記オーディオ・インジケーションをビープさせるように構成された、請求項４７に記載の装置。
【請求項４９】
前記通信構成要素は、電子メールまたはショート・メッセージ・サービスのうちの少なくとも１つによって前記評価を送信するように構成された、請求項４３に記載の装置。
【請求項５０】
前記通信構成要素は、前記アクセス・ポイント基地局に関連付けられたネットワーク・エンティティに前記評価を提供するように構成された、請求項４３に記載の装置。
【請求項５１】
前記通信構成要素は、前記位置が最適な位置であるかを示すように構成された、請求項４３に記載の装置。
【請求項５２】
前記通信構成要素は、前記位置に関連付けられたパフォーマンス・パラメータが、パフォーマンスしきい値を超えるかを示すように構成された、請求項４３に記載の装置。
【請求項５３】
前記通信構成要素は、前記位置に関連付けられた特定の問題タイプを示すように構成された、請求項４３に記載の装置。
【請求項５４】
アクセス・ポイント基地局の位置決めを行うコンピュータ・プログラムを記憶したコンピュータ読取可能な記憶媒体であって、さらに、
前記アクセス・ポイント基地局の位置が、複数の可能な問題タイプのうちのどの問題タイプに関連付けられているのかを評価することと、
前記位置の評価を通信することと、
を少なくとも１つのコンピュータに対して実行させるためのコードを記憶したコンピュータ読取可能な記憶媒体。
【請求項５５】
前記コードはさらに、光インジケーションを提供することによって前記評価を通信することを前記少なくとも１つのコンピュータに対して実行させる、請求項５４に記載のコンピュータ読取可能な記憶媒体。
【請求項５６】
前記コードはさらに、電子メールまたはショート・メッセージ・サービスのうちの少なくとも１つによって前記評価を送信することを前記少なくとも１つのコンピュータに対して実行させる、請求項５４に記載のコンピュータ読取可能な記憶媒体。
【請求項５７】
前記コードはさらに、前記アクセス・ポイント基地局に関連付けられたネットワーク・エンティティに前記評価を提供することを前記少なくとも１つのコンピュータに対して実行させる、請求項５４に記載のコンピュータ読取可能な記憶媒体。
【請求項５８】
前記コードはさらに、前記位置が最適な位置であるかを示すことを前記少なくとも１つのコンピュータに対して実行させる、請求項５４に記載のコンピュータ読取可能な記憶媒体。
【請求項５９】
前記コードはさらに、前記位置に関連付けられたパフォーマンス・パラメータが、パフォーマンスしきい値を超えるかを示すことを前記少なくとも１つのコンピュータに対して実行させる、請求項５４に記載のコンピュータ読取可能な記憶媒体。
【請求項６０】
前記コードはさらに、前記位置に関連付けられた特定の問題タイプを示すことを前記少なくとも１つのコンピュータに対して実行させる、請求項５４に記載のコンピュータ読取可能な記憶媒体。
【請求項６１】
アクセス・ポイント基地局の位置決めを行うように構成された装置であって、
前記アクセス・ポイント基地局の位置が、複数の可能な問題タイプのうちのどの問題タイプに関連付けられているのかを評価する手段と、
前記位置の評価を通信する手段と
を備える装置。
【請求項６２】
前記評価を通信する手段はさらに、光インジケーションを提供する手段を備える、請求項６１に記載の装置。
【請求項６３】
前記光インジケーションを提供する手段はさらに、前記評価に関連付けられたフラッシュ周波数にしたがって前記光インジケーションをフラッシュさせる手段を備える、請求項６２に記載の装置。
【請求項６４】
前記光インジケーションを提供する手段はさらに、前記評価に関連付けられた色スキームにしたがって前記光インジケーションをフラッシュさせる手段を備える、請求項６２に記載の装置。
【請求項６５】
前記評価を通信するための手段はさらに、オーディオ・インジケーションを提供する手段を備える、請求項６１に記載の装置。
【請求項６６】
前記オーディオ・インジケーションを提供する手段はさらに、前記評価に関連付けられたビープ周波数で前記オーディオ・インジケーションをビープさせる手段を備える、請求項６５に記載の装置。
【発明の詳細な説明】
【関連出願に対する相互参照】
【０００１】
本出願は、２００９年５月２８日に出願された「アクセス・ポイント基地局の位置決めのための自動支援」（Automatic Assistance for Positioning of Access Point Base Stations）と題された米国仮特許出願６１／１８１，８７４号の利益を主張する。上記出願の全体は、参照によって本明細書に組み込まれる。
【技術分野】
【０００２】
以下の記載は、一般に、無線通信に関し、さらに詳しくは、アクセス・ポイント基地局の位置決めを容易にする方法および装置に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
アクセス・ポイント基地局として知られている小型基地局（例えば、フェムト・セル、ホーム・ノードＢ（ＨＮＢ）等としても知られている）は、ビルディング内のセルラ有効通信範囲を拡大するために開発された。アクセス・ポイント基地局は、基地局のクラスである。これは、ユーザの住宅に搭載され、既存のブロードバンド・インターネット接続を用いて、モバイル・ユニットに屋内無線有効通信範囲を提供する。この目的のために、アクセス・ポイント基地局は、その所有者によって、準最適な位置では好ましくない、住居内のさまざまな場所のどこかに配置されうることが注目される。例えば、（例えば、金属性の整理だんすの下のように）妨害された位置に配置されたアクセス・ポイント基地局は、住居内に適切な有効通信範囲を提供できないかもしれない。同様に、（例えば窓の敷居上のように）過度に露出された場所に配置されたアクセス・ポイント基地局は、ユーザ機器、マクロ基地局、および／または、その他のネットワーク・エンティティに関する干渉を引き起こす／受けることがありうる。しかしながら、従来のアクセス・ポイント基地局は、アクセス・ポイント基地局の現在位置が適切であるかを示すための、および／または、この場所の特定の問題を識別するためのメカニズムを提供しない。
【０００８】
現在の無線通信システムの上記欠点は、単に、従来システムの問題のうちのいくつかの概観を提供することが意図されており、すべてを網羅したものではないことが意図される。従来システムのその他の問題、および、本明細書に記載されたさまざまな限定しない実施形態の対応する利点は、以下の記述を検討することにより、さらに明確になりうる。
【発明の概要】
【０００９】
以下は、１または複数の実施形態の基本的な理解を与えるために、このような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１０】
１または複数の実施形態および対応する開示によれば、さまざまな態様が、アクセス・ポイント基地局の位置決めのための自動支援を提供することに関連して記載される。１つの態様では、アクセス・ポイント基地局の位置決めを容易にする方法およびコンピュータ・プログラム製品が開示される。これらの実施形態は、ユーザ機器とアクセス・ポイント基地局との間の通信のパフォーマンス・パラメータをモニタすることを含む。これらの実施形態はさらに、パフォーマンス・パラメータに基づいて、アクセス・ポイント基地局の位置を評価することをも含む。
【００１１】
別の態様では、アクセス・ポイント基地局の位置決めを容易にするように構成された装置が開示される。このような実施形態では、装置は、メモリに格納されたコンピュータ実行可能な構成要素を実行するように構成されたプロセッサを含んでいる。コンピュータ実行可能な構成要素は、通信構成要素、パフォーマンス構成要素、および評価構成要素を含んでいる。通信構成要素は、ユーザ機器とアクセス・ポイント基地局との間の通信を容易にするように構成されている。一方、パフォーマンス構成要素は、通信に関連付けられたパフォーマンス・パラメータをモニタするように構成されている。そして、評価構成要素は、パフォーマンス・パラメータに基づいて、アクセス・ポイント基地局の位置を評価するように構成されている。
【００１２】
さらなる態様では、別の装置が開示される。このような実施形態内では、装置は、モニタリングする手段と、評価する手段とを含んでいる。この実施形態の場合、モニタリングする手段は、ユーザ機器とアクセス・ポイント基地局との間の通信のパフォーマンス・パラメータをモニタするように構成されている。一方、評価する手段は、パフォーマンス・パラメータに基づいて、アクセス・ポイント基地局の位置を評価するように構成されている。態様では、モニタリングする手段はさらに、ユーザ機器とアクセス・ポイント基地局との間の通信品質を確認する手段を含みうる。このような実施形態内では、パフォーマンス・パラメータは、通信品質に関連付けられた判定基準に基づいている。別の態様では、モニタリングする手段はさらに、アクセス・ポイント基地局によって利用された送信電力を確認する手段を含みうる。ここで、パフォーマンス・パラメータは、送信品質に関連付けられた判定基準に基づいている。特にこの実施形態の場合、確認する手段はさらに、アクセス・ポイント基地局によって利用された送信電力と、ユーザ機器における対応する受信電力との比較を行なう手段を含みうる。ここで、パフォーマンス・パラメータは、この比較に基づく。
【００１３】
別の態様では、アクセス・ポイント基地局の位置決めのための他の方法およびコンピュータ・プログラム製品が開示される。これらの実施形態のために、アクセス・ポイント基地局の位置が評価される。その後、この位置の評価が、通信される。
【００１４】
別の態様では、アクセス・ポイント基地局を位置決めする別の装置が開示される。このような実施形態では、装置は、メモリに格納されたコンピュータ実行可能な構成要素を実行するように構成されたプロセッサを含んでいる。コンピュータ実行可能な構成要素は、評価構成要素および通信構成要素を含んでいる。そして、評価構成要素は、アクセス・ポイント基地局の位置を評価するように構成されている。通信構成要素は、その後、この位置の評価を通信するように構成されている。
【００１５】
さらなる態様では、別の装置が開示される。このような実施形態内では、装置は、評価する手段と、通信する手段とを含んでいる。この実施形態のために、評価する手段は、アクセス・ポイント基地局の位置を評価するように構成されている。一方、通信する手段は、この位置の評価を通信するように構成されている。態様では、通信する手段はさらに、光インジケーションを提供する手段を含む。提供する手段はさらに、評価に関連付けられたフラッシュ周波数にしたがって光インジケーションをフラッシュさせる手段、および／または、評価に関連付けられた色スキームにしたがって光インジケーションをフラッシュさせる手段を含みうる。別の態様では、通信する手段は、オーディオ・インジケーションを提供する手段を含む。ここで、提供する手段はさらに、評価に関連付けられたビープ周波数でオーディオ・インジケーションをビープさせる手段を含みうる。
【００１６】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１７】
【図１】図１は、本明細書に記載されたさまざまな態様にしたがう無線通信システムの実例である。
【図２】図２は、本明細書に記載されたさまざまなシステムおよび方法とともに適用されうる典型的な無線ネットワーク環境の実例である。
【図３】図３は、ネットワーク環境内でのアクセス・ポイント基地局の配置を可能にする典型的な通信システムを例示する。
【図４】図４は、実施形態にしたがってアクセス・ポイント基地局の位置決めを容易にする典型的なシステムの例示である。
【図５】図５は、主題とする仕様の態様にしたがってアクセス・ポイント基地局の位置決めを容易にする典型的なアクセス・ポイント基地局のブロック図を例示する。
【図６】図６は、アクセス・ポイント基地局の位置決めを有効にする電子構成要素の典型的なカップリングの例示である。
【図７】図７は、主題とする仕様の態様にしたがってアクセス・ポイント基地局の位置決めを容易にする典型的な方法を例示するフロー・チャートである。
【図８】図８は、アクセス・ポイント基地局の位置決めを有効にする電子構成要素の別の典型的なカップリングの例示である。
【図９】図９は、主題とする仕様の態様にしたがってアクセス・ポイント基地局の位置決めを容易にする別の典型的な方法を例示するフロー・チャートである。
【図１０】図１０は、複数のセルを含むさまざまな態様にしたがって実現される典型的な通信システムの例示である。
【図１１】図１１は、本明細書に記載されたさまざまな態様にしたがう典型的な基地局の例示である。
【図１２】図１２は、本明細書に記載されたさまざまな態様にしたがって実現される典型的な無線端末の実例である。
【発明を実施するための形態】
【００１８】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００１９】
主題とする仕様は、（「フェムト・セル」とも称される）アクセス・ポイント基地局の位置決めに向けられている。さらに、準最適な位置にあるのかを識別するフェムト・セルを有することを容易にする典型的な実施形態が開示されている。例えば、１つの実施形態では、フェムト・セルは、ショート・メッセージ・サービス（ＳＭＳ）メッセージおよび／または電子メールによって、ユーザに、位置の評価を通信するように構成される。別の実施形態では、フェムト・セルは、このような評価を、オペレーションおよびメンテナンス（ＯＡＭ）システムに提供するように構成される。
【００２０】
この目的のために、本明細書で記述された技術は、例えば、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）、高速パケット・アクセス（ＨＳＰＡ）、およびその他のシステムのようなさまざまな無線通信システムのために使用されうることが注目される。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。
【００２１】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２２】
高速パケット・アクセス（ＨＳＰＡ）は、高速ダウンリンク・パケット・アクセス（ＨＳＤＰＡ）技術および高速アップリンク・パケット・アクセス（ＨＳＵＰＡ）、またはエンハンスト・アップリンク（ＥＵＬ）技術を含むことができ、さらにＨＳＰＡ＋技術を含むことができる。ＨＳＤＰＡ、ＨＳＵＰＡ、およびＨＳＰＡ＋はそれぞれ、第３世代パートナシップ計画（３ＧＰＰ）仕様リリース５、リリース６、およびリリース７の一部である。
【００２３】
高速ダウンリンク・パケット・アクセス（ＨＳＤＰＡ）は、ネットワークからユーザ機器（ＵＥ）へのデータ送信を最適化する。本明細書で使用されるように、ネットワークからユーザ機器ＵＥへの送信は、「ダウンリンク」（ＤＬ）と称されうる。送信方法は、数メガ・ビット／秒のデータ・レートを可能にしうる。高速ダウンリンク・パケット・アクセス（ＨＳＤＰＡ）は、モバイル・ラジオ・ネットワークの容量を増加しうる。高速アップリンク・パケット・アクセス（ＨＳＵＰＡ）は、端末からネットワークへのデータ送信を最適化しうる。本明細書で使用されるように、端末からネットワークまでの送信は「アップリンク」（ＵＬ）と称されうる。アップリンク・データ送信方法は、数メガ・ビット／秒のデータ・レートを可能にしうる。ＨＳＰＡ＋は、３ＧＰＰ仕様のリリース７で指定されたようなアップリンクおよびダウンリンクの両方においてさらなる改善をもたらす。高速パケット・アクセス（ＨＳＰＡ）方法は、一般に、例えばボイス・オーバＩＰ（ＶｏＩＰ）アプリケーション、ビデオ会議アプリケーション、およびモバイル・オフィス・アプリケーションのように、大量のデータを送信するデータ・サービスにおけるダウンリンクとアップリンクとの両方における高速なインタラクションを考慮する。
【００２４】
例えばハイブリッド自動反復要求（ＨＡＲＱ）のような高速データ送信プロトコルは、アップリンクとダウンリンクとで使用されうる。例えばハイブリッド自動的反復要求（ＨＡＲＱ）のようなプロトコルによって、受信者は、誤って受信したパケットの再送信を自動的に要求することができる。
【００２５】
さまざまな実施形態が、本明細書では、アクセス端末に関連して記述される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末（単数または複数）と通信するために利用することができ、アクセス・ポイント、ノードＢ、イボルブド・ノードＢ（ｅＮｏｄｅＢ）、アクセス・ポイント基地局、あるいはその他のいくつかの用語で称されうる。
【００２６】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２７】
基地局１０２は、アクセス端末１１６およびアクセス端末１２２のような１または複数のアクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２８】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００２９】
図２は、無線通信システム２００の例を示す。無線通信システム２００は、簡潔さの目的のため、１つの基地局２１０と１つのアクセス端末２５０しか示していない。しかしながら、システム２００は、１より多い基地局、および／または、１より多いアクセス端末を含みうることが認識されるべきである。ここで、追加の基地局および／またはアクセス端末は、以下に示す基地局２１０およびアクセス端末２５０の例と実質的に類似しうるか、あるいは、異なりうる。さらに、基地局２１０および／またはアクセス端末２５０は、この間の無線通信を容易にするために、本明細書で記載されたシステムおよび／または方法を適用しうることが認識されるべきである。
【００３０】
基地局２１０では、多くのデータ・ストリームのためのトラフィック・データが、データ・ソース２１２から送信（ＴＸ）データ・プロセッサ２１４へ提供される。一例によれば、おのおののデータ・ストリームが、それぞれのアンテナを介して送信される。ＴＸデータ・プロセッサ２１４は、トラフィック・データ・ストリームをフォーマットし、このデータ・ストリームのために選択された特定の符号化スキームに基づいて符号化し、インタリーブして、符号化されたデータを提供する。
【００３１】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末２５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ２３０によって実行または提供される指示によって決定されうる。
【００３２】
データ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。さまざまな実施形態において、ＴＸ  ＭＩＭＯプロセッサ２２０は、データ・ストリームのシンボル、および、そのシンボルが送信されるアンテナへ、ビームフォーミング重みを適用する。
【００３３】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機２２２ａ乃至２２２ｔからのＮＴ個の変調信号は、その後、ＮＴ個のアンテナ２２４ａ乃至２２４ｔからそれぞれ送信される。
【００３４】
アクセス端末２５０では、送信された変調信号が、ＮＲ個のアンテナ２５２ａ乃至２５２ｒによって受信され、これら受信された信号が、おのおののアンテナ２５２から、それぞれの受信機（ＲＣＶＲ）２５４ａ乃至２５４ｒへ提供される。おのおのの受信機２５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３５】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、検出されたおのおののシンボル・ストリームを復調し、デインタリーブし、復号して、そのデータ・ストリームのためのトラフィック・データを復元する。ＲＸデータ・プロセッサ２６０による処理は、基地局２１０におけるＴＸ  ＭＩＭＯプロセッサ２２０およびＴＸデータ・プロセッサ２１４によって実行されるものと相補的である。
【００３６】
プロセッサ２７０は、上述したように、利用可能などの技術を利用するのかを定期的に決定する。さらに、プロセッサ２７０は、行列インデクス部およびランク値部を備えた逆方向リンク・メッセージを規定することができる。
【００３７】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３８】
基地局２１０では、アクセス端末２５０からの変調された信号が、アンテナ２２４によって受信され、受信機２２２によって調整され、復調器２４０によって復調され、ＲＸデータ処理装置２４２によって処理されることによって、アクセス端末２５０によって送信された逆方向リンク・メッセージが抽出される。さらに、プロセッサ２３０は、ビームフォーミング重みを決定するためにどの事前符号化行列を使用するかを決定するために、この抽出されたメッセージを処理する。
【００３９】
プロセッサ２３０およびプロセッサ２７０は、基地局２１０およびアクセス端末２５０それぞれにおける動作を指示（例えば、制御、調整、管理等）する。プロセッサ２３０およびプロセッサ２７０はそれぞれ、プログラム・コードおよびデータを格納するメモリ２３２およびメモリ２７２に関連付けられうる。プロセッサ２３０およびプロセッサ２７０はまた、アップリンクおよびダウンリンクそれぞれのための周波数およびインパルス応答推定値を導出する計算をも実行する。
【００４０】
図３は、ネットワーク環境内のアクセス・ポイント基地局の配置を可能にする典型的な通信システムを例示する。図３に示すように、システム３００は、複数のアクセス・ポイント基地局、言い換えれば、例えばＨＮＢ３１０のようなフェムト・セル、ホーム・ノードＢユニット（ＨＮＢ）またはホーム・イボルブド・ノードＢユニット（ＨｅＮＢ）を含んでいる。これらはおのおの、例えば、１または複数のユーザ住居３３０のような対応する小規模なネットワーク環境内に搭載されており、関連付けられた外部のユーザ機器（ＵＥ）または移動局３２０にサービス提供するように構成されている。おのおののＨＮＢ３１０はさらに、（図示しない）ＤＳＬルータや、あるいは、（図示しない）ケーブル・モデムによって、インターネット３４０およびモバイル・オペレータ・コア・ネットワーク３５０に接続される。
【００４１】
次に図４に示すように、実施形態にしたがってアクセス・ポイント基地局の位置決めを容易にする典型的なシステムが提供される。例示されるように、例えば住居または事務所のような典型的なアクセス・ポイント基地局環境４００は、さまざまな候補位置４０５、４１５、または４２５を含みうる。アクセス・ポイント基地局は、これら候補位置から、予め許可された無線端末４１０にセルラ有効通信範囲を提供することができる。しかしながら、ここでは、アクセス・ポイント基地局を、さまざまな候補位置４０５、４１５、または４２５に配置することによって、異なるタイプのパフォーマンス結果が実現されうることが注目される。
【００４２】
例えば、第１のパフォーマンス結果タイプは、アクセス・ポイント基地局が、（例えば、金属性の整理だんすの下にあり）妨害された位置４０５にあることを示唆しうる。アクセス・ポイント基地局が、妨害された位置４０５にあるかを識別することを容易にするために、アクセス・ポイント基地局は、アクセス・ポイント基地局によって利用された送信電力をモニタしうる。実際、アクセス・ポイント基地局は、妨害された位置４０５にある場合、電力レンジの高域において送信することを強いられるかもしれないので、送信電力をトラッキングすることは、アクセス・ポイント基地局が、妨害された位置４０５にいつ配置されたかを識別するための効果的な方法でありうる。アクセス・ポイント基地局はさらに、予め許可された無線端末４１０が関連付けられている場合でさえも、どれくらいの頻度でハンドオーバを実行するかにしたがって、妨害された位置４０５を識別することができる。妨害された位置４０５が、ユーザに通知されると、ユーザは、例えば、このアクセス・ポイント基地局を、より中心位置に移動させるか、および／または、望ましくないラジオ周波数妨害物（例えば、壁、大型電気製品等）のある領域から離すことによって、この状況に対処しうる。
【００４３】
別の態様では、第２のパフォーマンス結果タイプは、アクセス・ポイント基地局が、（例えば、窓の敷居の上のように）過度に露出された位置４１５にあることを示唆しうる。アクセス・ポイント基地局が、過度に露出された位置４１５にあるかを識別することを容易にするために、アクセス・ポイント基地局は、送信電力を再度モニタしうる。ここで、アクセス・ポイント基地局は、近隣のアクセス・ポイント基地局、外部の無線端末４２０、および／または、マクロ基地局４３０からの干渉／電力制御メッセージによって、電力レンジの低域で送信することを強いられうるので、このようなパフォーマンス結果を検出することは、過度に露出された位置４１５を示唆しうる。過度に露出された位置４１５はまた、予め許可された無線端末４１０が関連付けられ続ける場合にも推論されうる。しかしながら、大部分のハンドオーバは、（アクセス・ポイント基地局が、オープン・アクセスで動作することを考慮すると、）外部の無線端末４２０と実行される。過度に露出された位置４１５が通知されると、ユーザは、例えば、このアクセス・ポイント基地局を、より中心位置に移動させるか、および／または、過度に露出した領域から離す（例えば、パブリック・スペースの近くまたは窓から離す）ことによって、この状況に対処しうる。
【００４４】
また別の態様では、第３のパフォーマンス結果タイプは、アクセス・ポイント基地局が、稀にしかいない位置４２５（例えば、ユーザによってあまり頻繁に占有されない住宅のエリア）内にあることを示唆しうる。確かに、アクセス・ポイント基地局は、大抵、予め許可された無線端末４１０のためには準備ができているが、稀にしかいない位置４２５にある間は、ほとんど気付くことがないかもしれない。アクセス・ポイント基地局が、稀にしかいない位置４２５にあるかを識別することを容易にするために、アクセス・ポイント基地局は、予め許可された無線通信端末４１０と実行されたハンドオーバの数をモニタしうる。なぜなら、予め許可された無線端末４１０が、アクセス・ポイント基地局によって検出されるにも関わらず、このようなハンドオーバは、より迅速かつより頻繁に生じうるからである。ユーザは、稀にしかいない位置４２５が通知されると、例えば、予め許可された無線端末４１０が通常使用される部屋の近くにアクセス・ポイント基地局を移動する（例えば、自宅事務所で使用されるラップトップ）ことによって、および／または、予め許可された無線端末４１０がフェムト機能をフルに使わないようにすることによって、この状況に対処しうる。
【００４５】
次に図５に示すように、アクセス・ポイント基地局の位置決めを容易にする典型的なアクセス・ポイント基地局のブロック図が提供される。図示するように、アクセス・ポイント基地局５００は、プロセッサ構成要素５１０、メモリ構成要素５２０、パフォーマンス構成要素５３０、評価構成要素５４０、および通信構成要素５５０を含みうる。
【００４６】
１つの態様では、プロセッサ構成要素５１０は、複数の機能のうちの何れかを実行することに関連するコンピュータ読取可能命令群を実行するように構成される。プロセッサ構成要素５１０は、アクセス・ポイント基地局５００から通信されるべき情報の分析、および／または、メモリ構成要素５２０、パフォーマンス構成要素５３０、評価構成要素５４０、および／または通信構成要素５５０によって利用されうる情報の生成、に特化された単一のプロセッサまたは複数のプロセッサでありうる。それに加えて、または、その代わりに、プロセッサ構成要素５１０は、アクセス・ポイント基地局５００のうちの１または複数の構成要素を制御するように構成されうる。
【００４７】
別の態様では、メモリ構成要素５２０は、プロセッサ構成要素５１０に接続されており、プロセッサ構成要素５１０によって実行されるコンピュータ読取可能命令群を格納するように構成される。メモリ構成要素５２０はまた、パフォーマンス構成要素５３０、評価構成要素５４０、および／または、通信構成要素５５０のうちの何れかによって生成されたものを含む、その他複数のタイプのデータのうちの何れかを格納するようにも構成されうる。メモリ構成要素５２０は、ランダム・アクセス・メモリ、バッテリ・バック・メモリ、ハード・ディスク、磁気テープ等を含む、多くの異なる構成要素で構成されうる。例えば圧縮や自動バックアップ（例えば、独立ドライブの冗長アレイ構成を使用）のような、さまざまな機能もまた、メモリ構成要素５２０において実施されうる。
【００４８】
例示されるように、アクセス・ポイント基地局５００は、パフォーマンス構成要素５３０をも含みうる。このような実施形態内では、パフォーマンス構成要素５３０は、アクセス・ポイント基地局５００と、少なくとも１つのユーザ機器との間の通信のパフォーマンス・パラメータをモニタするように構成されうる。ここで、パフォーマンス構成要素５３０は、複数のシナリオの内の何れかに関連付けられたパフォーマンスをモニタしうることが注目されるべきである。例えば、第１の典型的なシナリオでは、パフォーマンス構成要素５３０は、妨害された位置にアクセス・ポイント基地局５００を有することと一貫性を持つパフォーマンスをモニタするように構成される。このようなシナリオを識別することを容易にするために、パフォーマンス構成要素５３０は、アクセス・ポイント基地局５００によって利用された送信電力を確認するように構成されうる。ここで、パフォーマンス・パラメータは、送信品質に関連付けられた判定基準に基づいている。このような実施形態内では、パフォーマンス構成要素５３０はさらに、アクセス・ポイント基地局５００によって利用された送信電力と、ユーザ機器における対応する受信電力との比較を行うように構成されうる。ここで、パフォーマンス・パラメータは、この比較に基づく。
【００４９】
別の態様では、パフォーマンス構成要素５３０は、通信品質に基づいて、アクセス・ポイント基地局５００が、妨害された位置にあることを判定することを容易にする。例えば、パフォーマンス構成要素５３０は、ユーザ機器と、アクセス・ポイント基地局５００との間の通信品質を確認するように構成されうる。ここで、パフォーマンス・パラメータは、通信品質に関連付けられた判定基準に基づいている。このような実施形態内では、通信品質は、複数の特性のうちの何れかに関連付けられうる。例えば、通信品質は、欠落した通信の数、データ・スループット、および／または、接続設定時間に関連付けられうる。
【００５０】
いくつかの態様の場合、パフォーマンス構成要素５３０はまた、アクセス・ポイント基地局５００が、過度に露出された位置にあるかを判定することをも容易にしうる。例えば、パフォーマンス構成要素５３０は、アクセス・ポイント基地局５００において検出された干渉レベルを確認するように構成されうる。ここで、パフォーマンス・パラメータは、干渉レベルに関連付けられた判定基準に基づいている。
【００５１】
過度に露出された位置はまた、外部ユーザ機器（つまり、アクセス・ポイント基地局５００を利用するように予め許可されていないユーザ機器）で実行されたハンドオーバをモニタすることによって確認されうる。例えば、パフォーマンス構成要素５３０は、予め許可されたユーザ機器のセット以外のエンティティで実行されたハンドオーバの数を確認するように構成されうる。ここで、パフォーマンス・パラメータは、予め許可されたユーザ機器のセット以外のこれらエンティティで実行されたハンドオーバの数に関連付けられた判定基準に基づく。
【００５２】
パフォーマンス構成要素５３０はまた、アクセス・ポイント基地局５００が、稀にしかいない位置にあるかを判定することを容易にするように構成されうる。例えば、パフォーマンス構成要素５３０は、予め許可されたユーザ機器のセットに含まれたエンティティで実行されたハンドオーバをモニタするように構成されうる。さらに、パフォーマンス構成要素５３０は、予め許可されたユーザ機器のセット内のエンティティで実行されたハンドオーバの数を確認するように構成されうる。ここで、パフォーマンス・パラメータは、予め許可されたユーザ機器のセット内のこれらエンティティで実行されたハンドオーバの数に関連付けられた判定基準に基づく。
【００５３】
例示されるように、アクセス・ポイント基地局５００はさらに、評価構成要素５４０を含みうる。このような実施形態内では、評価構成要素５４０は、パフォーマンス構成要素５３０によってモニタされたパフォーマンス・パラメータに基づいて、アクセス・ポイント基地局５００の位置を評価するように構成される。例えば、評価構成要素５４０は、位置が、適切な位置であるか、および／または、準最適な位置であるかを確認するように構成されうる。例えば、評価構成要素５４０は、アクセス・ポイント基地局５００が、許容可能なレベルで実行することを可能にするのに位置が「適切」であるかを確認するために、パフォーマンス構成要素５３０によってモニタされたパフォーマンス・パラメータと、予め決定されたパフォーマンスしきい値とを比較するように構成されうる。ここでは、位置が「適切」であるけれども、別の位置に比べて「最適」ではないことがあることが注目されるべきである。したがって、評価構成要素５４０はまた、（例えば、さまざまな位置／場所のパフォーマンス履歴をトラッキングすることによって、）位置が準最適な位置であるかを確認するように構成されうることが考慮される。
【００５４】
また別の態様では、アクセス・ポイント基地局５００は、通信構成要素５５０を含んでいる。これは、プロセッサ構成要素５１０に接続され、アクセス・ポイント基地局５００を外部エンティティとインタフェースするように構成される。例えば、通信構成要素５５０は、複数の通信スキームのうちの何れかによって、評価構成要素５４０によって確認された位置の評価を通信するように構成されうる。態様では、通信構成要素５５０は、さまざまな評価を通信するために、光インジケーションおよび／またはにオーディオ・インジケーションを提供するように構成されうる。例えば、光インジケーション実施形態に関し、通信構成要素５５０は、対応する評価に関連付けられたフラッシュ周波数および／または色スキームにしたがって、光インジケーションをフラッシュさせるように構成されうる。さらに、典型的なオーディオ・インジケーション実施形態は、対応する評価に関連付けられたビープ周波数で、オーディオ・インジケーションをビープさせるように構成された通信構成要素５５０を有することを含む。
【００５５】
評価構成要素５４０によって確認された評価が、外部エンティティに提供されうることがさらに注目されるべきである。例えば、通信構成要素５５０は、電子メールまたはショート・メッセージ・サービスのうちの少なくとも１つによって、ユーザおよび／またはサード・パーティに評価をダイレクトに送信するように構成されうる。しかしながら、他の実施形態では、アクセス・ポイント基地局５００に関連付けられたネットワーク・エンティティに評価を提供するように通信構成要素５５０を構成することが望ましいことがありうる。これにしたがって、ネットワーク・エンティティは、その後、この評価を、転送および／または格納しうる。
【００５６】
また別の態様では、特定の評価に関連する詳細が、通信構成要素５５０によって通信されうることが注目されるべきである。例えば、通信構成要素５５０は、位置が準最適な位置であるかを示すように構成されうる。特定の位置が適切な位置であるかを通信することに関し、通信構成要素５５０は、この位置に関連付けられたパフォーマンス・パラメータが、パフォーマンスしきい値を超えるかを示すように構成されうる。さらに、アクセス・ポイント基地局５００は、さまざまなタイプの問題を経験しうるので、位置に関連付けられた特定の問題タイプを示す（例えば、位置が、妨害された位置であるか、過度に露出された位置であるか、および／または、稀にしかいない位置であるかを示す）ように構成された通信構成要素５５０が含まれうる。
【００５７】
図６に移って、実施形態にしたがってアクセス・ポイント基地局の位置決めを容易にする典型的なシステムが例示されている。システム６００、および／または、システム６００を実現するための命令群は、例えば、アクセス・ポイント基地局（例えば、アクセス・ポイント基地局５００）またはコンピュータ読取可能記憶媒体内に存在しうる。図示するように、システム６００は、プロセッサ、ソフトウェア、または（例えば、ファームウェアのような）これらの組み合わせによって実現される機能を表しうる機能ブロックを含む。システム６００は、連携して動作しうる電子構成要素の論理グループ６０２を含む。例示されるように、論理グループ６０２は、ユーザ機器とアクセス・ポイント基地局との間の通信のパフォーマンス・パラメータをモニタするように構成された電子構成要素６１０を含みうる。論理グループ６０２はまた、パフォーマンス・パラメータに基づいて、アクセス・ポイント基地局の位置を評価するように構成された電子構成要素６１２を含みうる。さらに、システム６００は、電子構成要素６１０、６１２に関連付けられた機能を実行するための命令群を保持するメモリ６２０を含みうる。ここで、電子構成要素６１０、６１２のうちの何れかが、メモリ６２０内に、またはメモリ６２０外に存在しうる。
【００５８】
次に図７に示すように、アクセス・ポイント基地局の位置決めを容易にする典型的な方法を例示するフロー・チャートが提供される。例示するように、処理７００は、主題とする仕様の態様にしたがって、アクセス・ポイント基地局（例えば、アクセス・ポイント基地局５００）のさまざまな構成要素によって実行されうる一連の動作を含んでいる。処理７００は、これら一連の動作を実施するために、コンピュータ読取可能記憶媒体に格納されたコンピュータ実行可能命令群を実行する、少なくとも１つのプロセッサを適用することにより実施されうる。別の実施形態では、少なくとも１つのコンピュータに対して、一連の処理７００を実行させるためのコードを備えたコンピュータ読取可能記憶媒体が考慮される。
【００５９】
態様では、処理７００は、動作７０５において、アクセス・ポイント基地局が、予め許可された無線端末との通信を確立することで始まる。次に、動作７１０において、アクセス・ポイント基地局が、無線端末によって取得された外部測定値（例えば、無線端末における受信電力）取得する。そして、動作７１５では、アクセス・ポイント基地局によって取得された内部測定値（例えば、アクセス・ポイント基地局によって利用された送信電力等）が確認される。
【００６０】
アクセス・ポイント基地局が、外部測定値および／または内部測定値を取得すると、処理は、動作７２０に進み、アクセス・ポイント基地局の位置の評価が実行される。前述したように、このような評価は、特定のシナリオが、外部／内部測定値によって特徴付けられるパフォーマンス・タイプに対応しているかを判定することを含みうる。例えば、動作７２５では、処理７００は、外部／内部測定値が、妨害された位置を示すかを判定しうる。この評価は、その後、動作７３０において通信される。しかしながら、妨害された位置が推論されなかった場合、処理７００は、動作７３５に進み、ここで、アクセス・ポイント基地局は、外部／内部測定値が、過度に露出された位置を示しているかを判定する。過度に露出された位置であると推論された場合、動作７４０では、過度に露出された位置にアクセス・ポイント基地局が存在することを示す評価が、通信される。
【００６１】
過度に露出された位置であるとも、妨害された位置であるとも推論されなかった場合、処理７００は、動作７４５に進み、外部／内部測定値が、稀にしかいない位置を示すかが判定される。稀にしかいない位置であると推論された場合、この位置を示す評価は、その後、動作７５０において通信される。そうではなく、稀にしかいない位置であるとは推論されなかった場合、この位置が適切な位置であることを示す評価が、動作７５５において通信される。
【００６２】
次に図８を参照して、実施形態にしたがってアクセス・ポイント基地局の位置決めを容易にする別のシステム８００が例示される。システム８００、および／または、システム８００を実現するための命令群もまた、例えば、アクセス・ポイント基地局（例えば、アクセス・ポイント基地局５００）またはコンピュータ読取可能記憶媒体内に存在しうる。ここで、システム８００は、プロセッサ、ソフトウェア、または（例えば、ファームウェアのような）これらの組み合わせによって実現される機能を表しうる機能ブロックを含む。さらに、システム８００は、システム６００内の論理グループ６０２に類似して、連携して動作しうる電子構成要素の論理グループ８０２を含む。例示するように、論理グループ８０２は、アクセス・ポイント基地局の位置の評価するための電子構成要素８１０を含みうる。論理グループ８０２はまた、位置の評価を通信するための電子構成要素８１２を含みうる。さらに、システム８００は、電子構成要素８１０、８１２に関連付けられた機能を実行するための命令群を保持するメモリ８２０を含みうる。ここで、電子構成要素８１０、８１２のうちの何れかが、メモリ８２０内に、またはメモリ８２０外に存在しうる。
【００６３】
次に図９に示すように、アクセス・ポイント基地局の位置決めを容易にする典型的な方法を例示するフロー・チャートが提供される。例示するように、処理９００は、主題とする仕様の態様にしたがって、アクセス・ポイント基地局（例えば、アクセス・ポイント基地局５００）のさまざまな構成要素によって実行されうる一連の動作を含んでいる。処理９００は、これら一連の動作を実施するために、コンピュータ読取可能記憶媒体に格納されたコンピュータ実行可能命令群を実行する、少なくとも１つのプロセッサを適用することにより実施されうる。別の実施形態では、少なくとも１つのコンピュータに対して、一連の処理９００を実行させるためのコードを備えたコンピュータ読取可能記憶媒体が考慮される。
【００６４】
態様では、処理９００は、特定のアクセス・ポイント基地局の妥当性を通信するための少なくとも１つの通信スキームが実施される動作９１０で始まる。態様では、このような通信スキーム（単数または複数）は、ユーザ（例えば、特定の通信プレファレンスを示すユーザ・プロファイル）によって提供されうる。別の態様では、デフォルト通信スキームが実施されうる。
【００６５】
次に、動作９２０では、処理９００は、アクセス・ポイント基地局が、アクセス・ポイント基地局の現在の位置の評価を受信することに続く。その後、動作９３０では、受信された評価を通信するための通信タイプが選択される。ここでは、アクセス・ポイント基地局によって実施される特定の通信スキームは、アクセス・ポイント基地局に対して、複数の宛先（例えば、ユーザおよびネットワーク）に対して評価を提供するように指示しうることが注目される。処理９００はその後、動作９４０に続く。ここでは、アクセス・ポイント基地局が、追加の通信タイプが選択されるべきかを判定する。追加の通信タイプが必要な場合、処理９００は、動作９３０にループして戻り、追加の通信タイプが選択される。そうではなく、追加の通信タイプが必要とされない場合、処理９００は動作９５０で終了し、位置評価が、適切な宛先に通信される。
【００６６】
（典型的な無線通信システム）  
次に図１０に示すように、セルＩ１００２およびセルＭ１００４のような複数のセルを含むさまざまな態様にしたがって実現される典型的な通信システム１０００が示される。ここで、近隣セル１００２、１１０４は、セル境界領域１０６８によって示されるように、わずかにオーバラップしており、これによって、近隣セル内の基地局によって送信される信号間での信号干渉の可能性が生じることが注目されるべきである。システム１０００のセル１００２、１００４はおのおの、３つのセクタを含んでいる。さまざまな態様によれば、複数のセクタに細分化されていないセル（Ｎ＝１）、２つのセクタを有するセル（Ｎ＝２）、および、３より多いセクタを有するセル（Ｎ＞３）もまた可能である。セル１００２は、第１のセクタであるセクタＩ１０１０、第２のセクタであるセクタＩＩ１０１２、および第３のセクタであるセクタＩＩＩ１０１４を含んでいる。セクタ１０１０、１０１２、および１０１４はおのおの２つのセクタ境界領域を有する。おのおのの境界領域は、２つの隣接セクタで共有される。
【００６７】
セクタ境界領域は、近隣セクタ内の基地局によって送信された信号間の信号干渉の可能性を与える。ライン１０１６は、セクタＩ１０１０とセクタＩＩ１０１２との間のセクタ境界領域を示し、ライン１０１８は、セクタＩＩ１０１２とセクタＩＩＩ１０１４との間のセクタ境界領域を示し、ライン１０２０は、セクタＩＩＩ１０１４とセクタＩ１０１０との間のセクタ境界領域を示す。同様に、セルＭ１００４は、第１のセクタであるセクタＩ１０２２と、第２のセクタであるセクタＩＩ１０２４と、第３のセクタであるセクタＩＩＩ１０２６とを含んでいる。ライン１０２８は、セクタＩ１０２２とセクタＩＩ１０２４との間のセクタ境界領域を示し、ライン１０３０は、セクタＩＩ１０２４とセクタＩＩＩ１０２６との間のセクタ境界領域を示し、ライン１０３２は、セクタＩＩＩ１０２６とセクタＩ１０２２との間のセクタ境界領域を示す。セルＩ１００２は、基地局（ＢＳ）である基地局Ｉ１００６と、おのおののセクタ１０１０、１０１２、１０１４内の複数のエンド・ノード（ＥＮ）とを含む。セクタＩ１０１０は、無線リンク１０４０、１０４２によってそれぞれＢＳ１００６に接続されたＥＮ（１）１０３６およびＥＮ（Ｘ）１０３８を含んでいる。セクタＩＩ１０１２は、無線リンク１０４８、１０５０によってそれぞれＢＳ１００６に接続されたＥＮ（１’）１０４４およびＥＮ（Ｘ’）１０４６を含んでいる。セクタＩＩＩ１０１４は、無線リンク１０５６、１０５８によってそれぞれＢＳ１００６に接続されたＥＮ（１’’）１０５２およびＥＮ（Ｘ’’）１０５４を含んでいる。同様に、セルＭ１００４は、基地局Ｍ１００８と、おのおののセクタ１０２２、１０２４、１０２６内の複数のエンド・ノード（ＥＮ）とを含む。セクタＩ１０２２は、無線リンク１０４０’、１０４２’によってそれぞれＢＳ  Ｍ１００６に接続されたＥＮ（１）１０３６’およびＥＮ（Ｘ）１０３８’を含んでいる。セクタＩＩ１０２４は、無線リンク１０４８’、１０５０’によってそれぞれＢＳ  Ｍ１００８に接続されたＥＮ（１’）１０４４’およびＥＮ（Ｘ’）１０４６’を含んでいる。セクタＩＩＩ１０２６は、無線リンク１０５６’、１０５８’によってそれぞれＢＳ１００８に接続されたＥＮ（１’’）１０５２’およびＥＮ（Ｘ’’）１０５４’を含んでいる。
【００６８】
システム１０００はまた、ネットワーク・リンク１０６２、１０６４によってＢＳ  Ｉ１００６およびＢＳ  Ｍ１００８にそれぞれ接続されたネットワーク・ノード１０６０をも含んでいる。ネットワーク・ノード１０６０はまた、例えば、その他の基地局、ＡＡＡサーバ・ノード、中間ノード、ルータ等のようなその他のネットワーク・ノードや、インターネットに、ネットワーク・リンク１０６６を介して接続されている。ネットワーク１０６２、１０６４、１０６６は、例えば、光ファイバ・ケーブルでありうる。例えばＥＮ  １  １０３６のようなおのおののエンド・ノードは、送信機のみならず受信機を含む無線端末でありうる。例えばＥＮ（１）１０３６ような無線端末は、システム１００内を移動し、このＥＮが現在の位置しているセル内の基地局と、無線リンクを介して通信しうる。例えばＥＮ（１）１０３６のような無線端末（ＷＴ）は、例えばＢＳ１００６のような基地局、および／または、ネットワーク・ノード１０６０を介して、システム１０００内またはシステム１０００外のその他のＷＴのようなピア・ノードと通信しうる。例えばＥＮ（１）１０３６のようなＷＴは、例えば、セルラ電話、無線モデムを備えた情報携帯端末等のようなモバイル通信デバイスでありうる。トーンを割り当て、例えば非ストリップ・シンボル期間のような残りのシンボル期間におけるトーン・ホッピングを決定するために適用される方法とは異なるストリップ・シンボル期間のための方法を用いて、それぞれの基地局は、トーン・サブセット割当を実行する。無線端末は、例えば、基地局スロープＩＤ、セクタＩＤ情報のような、基地局から受信した情報とともに、トーン・サブセット割当方法を用いて、特定のストリップ・シンボル期間においてデータおよび情報を受信するために適用するトーンを決定する。トーン・サブセット割当シーケンスは、セル間干渉およびセル内干渉をそれぞれのトーンにわたって拡散するためのさまざまな態様にしたがって構築される。主題とするシステムは、主としてセルラ・モードのコンテキストで記載されているが、本明細書に記載された態様にしたがって、複数のモードが利用可能および適用可能であることが認識されるべきである。
【００６９】
（典型的な基地局）  
図１１は、さまざまな態様にしたがう基地局１１００の例を図示する。基地局１１００は、それぞれ異なるセクタ・タイプのセルのために生成された異なるトーン・サブセット割当シーケンスを用いて、トーン・サブセット割当シーケンスを実施する。基地局１１００は、図１０のシステム１０００の基地局１００６、１００８のうちの任意の１つとして使用されうる。基地局１１００は、受信機１１０２、送信機１１０４、例えばＣＰＵのようなプロセッサ１１０６、入力／出力インタフェース１１０８、およびメモリ１１１０を含む。これらは、要素１１０２、１１０４、１１０６、１１０８、１１１０がデータおよび情報を交換しうるバス１１０９によってともに接続されている。
【００７０】
受信機１１０２に接続されたセクタ・アンテナ１１０３は、基地局のセル内のおのおののセクタからの無線端末送信から、データや、例えば、チャネル・レポートのようなその他の信号を受信するために使用される受信機１１０２に接続されている。送信機１１０４に接続されたセクタ・アンテナ１１０５は、基地局のセルのおのおののセクタ内の無線端末１２００（図１２参照）へ、データ、および、例えば、制御信号、パイロット信号、ビーコン信号等のようなその他の信号を送信するために使用される。さまざまな態様において、基地局１１００は、例えば、おのおののセクタの個々の受信機１１０２およびおのおののセクタのための個々の送信機１１０４のように、複数の受信機１１０２および複数の送信機１１０４を適用しうる。プロセッサ１１０６は、例えば一般的な中央処理装置（ＣＰＵ）でありうる。プロセッサ１１０６は、メモリ１１１０に格納された１または複数のルーチン１１１８の指示の下、基地局１１００の動作を制御し、方法を実施する。Ｉ／Ｏインタフェース１１０８は、他のネットワーク・ノードへの接続、ＢＳ１１００の他の基地局、アクセス・ルータ、ＡＡＡサーバ・ノード等、他のネットワーク、およびインターネットへのカップリングを提供する。メモリ１１１０は、ルーチン１１１８およびデータ／情報１１２０を含んでいる。
【００７１】
データ／情報１１２０は、データ１１３６と、ダウンリンク・ストリップ・シンボル時間情報１１４０およびダウンリンク・トーン情報１１４２を含むトーン・サブセット割当シーケンス情報１１３８と、ＷＴ  １情報１１４６およびＷＴ  Ｎ情報１１６０のような複数のＷＴ情報のセットを含む無線端末（ＷＴ）データ／情報１１４４とを含む。例えばＷＴ  １情報１１４６のようなＷＴ情報のおのおののセットは、データ１１４８、端末ＩＤ１１５０、セクタＩＤ１１５２、アップリンク・チャネル情報１１５４、ダウンリンク・チャネル情報１１５６、およびモード情報１１５８を含む。
【００７２】
ルーチン１１１８は、通信ルーチン１１２２と基地局制御ルーチン１１２４とを含んでいる。基地局制御ルーチン１１２４は、スケジューラ・モジュール１１２６とシグナリング・ルーチン１１２８とを含む。シグナリング・ルーチン１１２８は、ストリップ・シンボル期間のためのトーン・サブセット割当ルーチン１１３０と、例えば非ストリップ・シンボル期間のように、シンボル期間の残りのためのその他のダウンリンク・トーン割当ホッピング・ルーチン１１３２と、ビーコン・ルーチン１１３４とを含む。
【００７３】
データ１１３６は、ＷＴへ送信する前に符号化するために、送信機１１０４のエンコーダ１１１４へ送信される、送信されるべきデータと、受信後に受信機１１０２のデコーダ１１１２によって処理された、ＷＴから受信したデータと、を含む。ダウンリンク・ストリップ・シンボル時間情報１１４０は、例えば、スーパスロット構造情報、ビーコンスロット構造情報、およびウルトラスロット構造情報のようなフレーム同期構造情報と、所与のシンボル期間が、ストリップ・シンボル期間であるかを明示し、さらに、所与のシンボル期間が、ストリップ・シンボル期間である場合、ストリップ・シンボル期間のインデクスと、このストリップ・シンボルが、基地局によって使用されるトーン・サブセット割当シーケンスを切り詰めるためのリセット・ポイントであるかを明示する情報とを含む。ダウンリンク・トーン情報１１４２は、基地局１１００に割り当てられたキャリア周波数、トーンの数および周波数、および、ストリップ・シンボル期間に割り当てられるべきトーン・サブセットのセットを含む情報と、例えば、スロープ、スロープ・インデクス、およびセクタ・タイプのような、その他のセルおよびセクタに特有の値とを含む。
【００７４】
データ１１４８は、ＷＴ１  １２００がピア・ノードから受信したデータ、ＷＴ１  １２００がピア・ノードに送信されることを望むデータ、および、ダウンリンク・チャネル品質レポート・フィードバック情報を含みうる。端末ＩＤ１１５０は、ＷＴ１  １２００を識別する、基地局１１００によって割り当てられたＩＤである。セクタＩＤ１１５２は、ＷＴ１  １２００が動作しているセクタを識別する情報を含んでいる。セクタＩＤ１１５２は、例えば、セクタ・タイプを決定するために使用されうる。アップリンク・チャネル情報１１５４は、ＷＴ１  １２００が、例えば、データのためにアップリンク・トラフィック・チャネル・セグメントを、要求、電力制御、タイミング制御等のために専用アップリンク制御チャネルを使用するように、スケジューラ１１２６によって割り当てられたチャネル・セグメントを識別する情報を含む。ＷＴ１  １２００に割り当てられたおのおののアップリンク・チャネルは、１または複数の論理トーンを含んでいる。おのおのの論理トーンは、アップリンク・ホッピング・シーケンスに従う。ダウンリンク・チャネル情報１１５６は、例えば、ユーザ・データのためのダウンリンク・トラフィック・チャネル・セグメントのようなデータおよび／または情報をＷＴ１  １２００に伝送するために、スケジューラ１１２６によって割り当てられたチャネル・セグメントを識別する情報を含む。ＷＴ１  １２００に割り当てられたおのおののダウンリンク・チャネルは、１または複数の論理トーンを含む。おのおの論理トーンは、ダウンリンク・ホッピング・シーケンスに従う。モード情報１１５８は、例えば、スリープ、ホールド、オンのような、ＷＴ１  １２００の動作状態を識別する情報を含む。
【００７５】
通信ルーチン１１２２は、さまざまな通信動作の実行、および、さまざまな通信プロトコルの実施のために、基地局１１００を制御する。基地局制御ルーチン１１２４は、例えば、信号生成および受信、スケジューリングのような基本的な基地局機能タスクを実行するように、および、ストリップ・シンボル期間中にトーン・サブセット割当シーケンスを用いて無線端末に信号を送信することを含むいくつかの態様からなる方法の各ステップを実施するように、基地局１１００を制御するために使用される。
【００７６】
シグナリング・ルーチン１１２８は、デコーダ１１１２を備えた受信機１１０２と、エンコーダ１１１４を備えた送信機１１０４との動作を制御する。シグナリング・ルーチン１１２８は、送信されるデータ１１３６および制御情報の生成の制御を担当する。トーン・サブセット割当ルーチン１１３０は、態様の方法を用いて、および、ダウンリンク・ストリップ・シンボル時間情報１１４０とセクタＩＤ１１５２とを含むデータ／情報１１２０を用いて、ストリップ・シンボル期間で使用されるべきトーン・サブセットを構築する。ダウンリンク・トーン・サブセット割当シーケンスは、セル内のおのおののセクタ・タイプについて異なり、隣接セルについて異なるであろう。ＷＴ１２００は、ダウンリンク・トーン・サブセット割当シーケンスにしたがって、ストリップ・シンボル期間で信号を受信し、基地局１１００は、送信される信号を生成するために、同じダウンリンク・トーン・サブセット割当シーケンスを用いる。その他のダウンリンク・トーン割当ホッピング・ルーチン１１３２は、ストリップ・シンボル期間以外のシンボル期間について、ダウンリンク・トーン情報１１４２とダウンリンク・チャネル情報１１５６とを含む情報を用いて、ダウンリンク・トーン・ホッピング・シーケンスを構築する。ダウンリンク・データ・トーン・ホッピング・シーケンスは、セルのセクタにわたって同期化される。ビーコン・ルーチン１１３４は、例えば、ダウンリンク信号のフレーム・タイミング構造、すなわち、ウルトラ・スロット境界に関するトーン・サブセット割当シーケンスを同期させるような同期目的のために使用されうる１または少数のトーンに集中された比較的高い電力信号からなる信号であるビーコン信号の送信を制御する。
【００７７】
（典型的な無線端末）  
図１２は、例えば図１０に示されるシステム１０００のＥＮ（１）１０３６のような無線端末（エンド・ノード）のうちの任意の１つとして使用されうる典型的な無線端末（エンド・ノード）１２００を例示する。無線端末１２００は、トーン・サブセット割当シーケンスを実施する。無線端末１２００は、デコーダ１２１２を含む受信機１２０２と、エンコーダ１２１４を含む送信機１２０４と、プロセッサ１２０６と、メモリ１２０８とを含む。これらは、これら要素１２０２、１２０４、１２０６、１２０８がデータおよび情報を交換しうるバス１２１０によってともに接続されている。受信機１２０２には、基地局（および／または別の無線端末）からの信号を受信するために使用されるアンテナ１２０３が接続されている。送信機１２０４には、基地局（および／または別の無線端末）からの信号を送信するために使用されるアンテナ１２０５が接続されている。
【００７８】
例えばＣＰＵのようなプロセッサ１２０６は、無線端末１２００の動作を制御する。そして、メモリ１２０８内のルーチン１２２０を実行し、データ／情報１２２２を用いることにより、方法を実施する。
【００７９】
データ／情報１２２２は、ユーザ・データ１２３４、ユーザ情報１２３６、および、トーン・サブセット割当シーケンス情報１２５０を含む。ユーザ・データ１２３４は、ピア・ノードに向けられ、送信機１２０４による基地局への送信前に符号化するために、エンコーダ１２１４へルーティングされるデータと、受信機１２０２内のデコーダ１２１２によって処理され、基地局から受信されたデータとを含みうる。ユーザ情報１２３６は、アップリンク・チャネル情報１２３８、ダウンリンク・チャネル情報１２４０、端末ＩＤ情報１２４２、基地局ＩＤ情報１２４４、セクタＩＤ情報１２４６、およびモード情報１２４８を含んでいる。アップリンク・チャネル情報１２３８は、無線端末１２０が基地局に送信する場合に使用するために、基地局によって割り当てられたアップリンク・チャネル・セグメントを識別する情報を含む。アップリンク・チャネルは、トラフィック・チャネルや、例えば、要求チャネル、電力制御チャネル、およびタイミング制御チャネルのような専用アップリンク制御チャネルを含みうる。おのおののアップリンク・チャネルは、おのおのアップリンク・トーン・ホッピング・シーケンスにしたがう１または複数の論理トーンを含む。アップリンク・ホッピング・シーケンスは、セルのセクタ・タイプ毎に、および、隣接セル毎に異なる。ダウンリンク・チャネル情報１２４０は、基地局にＷＴ１２００にデータ／情報を送信する場合に使用するために、基地局によって割り当てられたダウンリンク・チャネル・セグメントを識別する情報を含む。ダウンリンク・チャネルは、ダウンリンク・トラフィック・チャネルおよび割当チャネルを含みうる。おのおののダウンリンク・チャネルは、１または複数の論理トーンを含み、おのおのの論理トーンは、セルの各セクタ間で同期されたダウンリンク・ホッピング・シーケンスにしたがう。
【００８０】
ユーザ情報１２３６はまた、基地局が割り当てた識別情報である端末ＩＤ情報１２４２と、ＷＴが通信を確立した特定の基地局を識別する基地局ＩＤ情報１２４４と、ＷＴ１２００が現在位置している特定のセルのセクタを識別するセクタＩＤ情報１２４６とを含む。基地局ＩＤ１２４４は、セル・スロープ値を提供し、セクタＩＤ情報１２４６は、セクタ・インデクス・タイプを提供し、セル・スロープ値およびセクタ・インデクス・タイプは、トーン・ホッピング・シーケンスを導出するために使用されうる。ユーザ情報１２３６に含まれるモード情報１２４８は、ＷＴ１２００がスリープ・モード、ホールド・モード、またはオン・モードにあるかを識別する。
【００８１】
トーン・サブセット割当シーケンス情報１２５０は、ダウンリンク・ストリップ・シンボル時間情報１２５２およびダウンリンク・トーン情報１２５４を含む。ダウンリンク・ストリップ・シンボル時間情報１２５２は、例えば、スーパスロット構造情報、ビーコンスロット構造情報、およびウルトラスロット構造情報のようなフレーム同期構造情報と、所与のシンボル期間が、ストリップ・シンボル期間であるかを明示し、さらに、所与のシンボル期間が、ストリップ・シンボル期間である場合、ストリップ・シンボル期間のインデクスと、このストリップ・シンボルが、基地局によって使用されるトーン・サブセット割当シーケンスを切り詰めるためのリセット・ポイントであるかを明示する情報とを含む。ダウンリンク・トーン情報１２５４は、基地局に割り当てられたキャリア周波数、トーンの数および周波数、および、ストリップ・シンボル期間に割り当てられるべきトーン・サブセットのセットを含む情報と、例えば、スロープ、スロープ・インデクス、およびセクタ・タイプのような、その他のセルおよびセクタに特有の値とを含む。
【００８２】
ルーチン１２２０は、通信ルーチン１２２４と無線端末制御ルーチン１２２６とを含んでいる。通信ルーチン１２２４は、ＷＴ１２００によって使用されるさまざまな通信プロトコルを制御する。無線端末制御ルーチン１２２６は、受信機１２０２および送信機１２０４の制御を含む基本的な無線端末１２００の機能を制御する。無線端末制御ルーチン１２２６は、シグナリング・ルーチン１２２８を含んでいる。シグナリング・ルーチン１２２８は、ストリップ・シンボル期間のトーン・サブセット割当ルーチン１２３０と、例えば、非ストリップ・シンボル期間のようなシンボル期間の残りのその他のダウンリンク・トーン割当ホッピング・ルーチン１２３２とを含む。トーン・サブセット割当ルーチン１２３０は、いくつかの態様にしたがってダウンリンク・トーン・サブセット割当を生成し、基地局から送信された受信データを処理するために、ダウンリンク・チャネル情報１２４０と、例えば、スロープ・インデクスおよびセクタ・タイプを含む基地局ＩＤ情報１２４４と、ダウンリンク・トーン情報１２５４とを含むユーザ・データ情報１２２２を使用する。その他のダウンリンク・トーン割当ホッピング・ルーチン１２３２は、ストリップ・シンボル期間以外のシンボル期間について、ダウンリンク・トーン情報１２５４とダウンリンク・チャネル情報１２４０とを含む情報を用いて、ダウンリンク・トーン・ホッピング・シーケンスを構築する。トーン・サブセット割当ルーチン１２３０は、プロセッサ１２０６によって実行された場合、いつ、どのトーンで、無線端末１２００が、基地局１１００から１または複数のストリップ・シンボル信号を受信すべきかを決定するために使用される。アップリンク・トーン割当ホッピング・ルーチン１２３０は、送信すべきトーンを決定するために、基地局から受信した情報とともに、トーン・サブセット割当機能を用いる。
【００８３】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００８４】
実施形態がプログラム・コードまたはコード・セグメントで実施される場合、コード・セグメントは、手順、機能、サブプログラム、プログラム、ルーチン、サブルーチン、モジュール、ソフトウェア・パッケージ、クラス、あるいは、命令群やデータ構造またはプログラム命令文の任意の組み合わせを表しうることが認識されるべきである。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。それに加えて、いくつかの態様では、方法またはアルゴリズムのステップおよび／または動作が、コンピュータ・プログラム製品に組み込まれうるマシン読取可能媒体および／またはコンピュータ読取可能媒体における命令群および／またはコードのうちの１つまたは任意の組み合わせまたはセットとして存在しうる。
【００８５】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８６】
ハードウェアで実施する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロプロセッサ、本明細書に記載された機能を実行するように設計されたその他の電子ユニット、あるいはこれらの組み合わせ内に実装されうる。
【００８７】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【００８８】
本明細書で使用されるように、用語「推論する」または「推論」は、一般に、イベントおよび／またはデータによって取得された観察のセットから、システム、環境、および／または、ユーザの状態を推論すること、または、それについて理由付けすることの処理を称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００８９】
さらに、本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
なお、以下に、出願当初の特許請求の範囲に記載された発明を付記する。
［発明１］アクセス・ポイント基地局の位置決めを容易にする方法であって、
ユーザ機器と前記アクセス・ポイント基地局との間の通信のパフォーマンス・パラメータをモニタすること、
前記パフォーマンス・パラメータに基づいて、前記アクセス・ポイント基地局の位置を評価することと
を備える方法。
［発明２］前記モニタすることはさらに、前記アクセス・ポイント基地局によって利用された送信電力をモニタすることを備え、
前記パフォーマンス・パラメータは、前記送信品質に関連付けられた判定基準に基づいている、発明１に記載の方法。
［発明３］前記モニタすることはさらに、前記アクセス・ポイント基地局によって利用された送信電力と、前記ユーザ機器における対応する受信電力との比較を行なうことを備え、
前記パフォーマンス・パラメータは、前記比較に基づいている、発明２に記載の方法。
［発明４］前記モニタすることはさらに、前記ユーザ機器と前記アクセス・ポイント基地局との間の通信品質を確認することを備え、
前記パフォーマンス・パラメータは、前記通信品質に関連付けられた判定基準に基づいている、発明１に記載の方法。
［発明５］前記通信品質は、欠落した通信の数、データ・スループット、または接続設定時間のうちの少なくとも１つに関連付けられている、発明４に記載の方法。
［発明６］前記モニタすることはさらに、前記アクセス・ポイント基地局において干渉レベルをモニタすることを備え、
前記パフォーマンス・パラメータは、前記干渉レベルに関連付けられた判定基準に基づいている、発明１に記載の方法。
［発明７］前記ユーザ機器は、予め許可されたユーザ機器のセットに含まれ、
前記モニタすることはさらに、前記予め許可されたユーザ機器のセット以外のエンティティで実行されたハンドオーバの数をモニタすることを備え、
前記パフォーマンス・パラメータは、前記予め許可されたユーザ機器のセット以外のエンティティで実行されたハンドオーバの数に関連付けられた判定基準に基づいている、発明１に記載の方法。
［発明８］前記ユーザ機器は、予め許可されたユーザ機器のセットに含まれ、
前記モニタすることはさらに、前記予め許可されたユーザ機器のセット内のエンティティで実行されたハンドオーバの数をモニタすることを備え、
前記パフォーマンス・パラメータは、前記予め許可されたユーザ機器のセット内のエンティティで実行されたハンドオーバの数に関連付けられた判定基準に基づいている、発明１に記載の方法。
［発明９］前記評価することはさらに、前記位置が準最適な位置であるかを確認することを備える、発明１に記載の方法。
［発明１０］前記評価することはさらに、前記位置が適切な位置であるかを確認することを備え、
前記確認することは、前記パフォーマンス・パラメータとパフォーマンスしきい値との間の比較に基づいている、発明１に記載の方法。
［発明１１］アクセス・ポイント基地局の位置決めを容易にするように構成された装置であって、
メモリに格納されたコンピュータ実行可能な構成要素を実行するように構成されたプロセッサを備え、
前記構成要素は、
ユーザ機器と前記アクセス・ポイント基地局との間の通信を容易にするように構成された通信構成要素と、
前記通信に関連付けられたパフォーマンス・パラメータをモニタするように構成されたパフォーマンス構成要素と、
前記パフォーマンス・パラメータに基づいて、前記アクセス・ポイント基地局の位置を評価するように構成された評価構成要素と
を備える、装置。
［発明１２］前記パフォーマンス構成要素は、前記アクセス・ポイント基地局によって利用された送信電力を確認するように構成され、
前記パフォーマンス・パラメータは、前記送信品質に関連付けられた判定基準に基づいている、発明１１に記載の装置。
［発明１３］前記パフォーマンス構成要素は、前記アクセス・ポイント基地局によって利用された送信電力と、前記ユーザ機器における対応する受信電力との比較を行なうように構成され、
前記パフォーマンス・パラメータは、前記比較に基づいている、発明１２に記載の装置。
［発明１４］前記パフォーマンス構成要素は、前記ユーザ機器と前記アクセス・ポイント基地局との間の通信品質を確認するように構成され、
前記パフォーマンス・パラメータは、前記通信品質に関連付けられた判定基準に基づいている、発明１１に記載の装置。
［発明１５］前記通信品質は、欠落した通信の数、データ・スループット、または接続設定時間のうちの少なくとも１つに関連付けられている、発明１４に記載の装置。
［発明１６］前記パフォーマンス構成要素は、前記アクセス・ポイント基地局において干渉レベルを確認するように構成され、
前記パフォーマンス・パラメータは、前記干渉レベルに関連付けられた判定基準に基づいている、発明１１に記載の装置。
［発明１７］前記ユーザ機器は、予め許可されたユーザ機器のセットに含まれ、
前記パフォーマンス構成要素は、前記予め許可されたユーザ機器のセット以外のエンティティで実行されたハンドオーバの数を確認するように構成され、
前記パフォーマンス・パラメータは、前記予め許可されたユーザ機器のセット以外のこれらエンティティで実行されたハンドオーバの数に関連付けられた判定基準に基づいている、発明１１に記載の装置。
［発明１８］前記ユーザ機器は、予め許可されたユーザ機器のセットに含まれ、
前記パフォーマンス構成要素は、前記予め許可されたユーザ機器のセット内のエンティティで実行されたハンドオーバの数を確認するように構成され、
前記パフォーマンス・パラメータは、前記予め許可されたユーザ機器のセット内のエンティティで実行されたハンドオーバの数に関連付けられた判定基準に基づいている、発明１１に記載の装置。
［発明１９］前記評価構成要素は、前記位置が準最適な位置であるかを確認するように構成された、発明１１に記載の装置。
［発明２０］前記評価構成要素は、前記パフォーマンス・パラメータとパフォーマンスしきい値との間の比較に基づいて、前記位置が適切な位置であるかを確認するように構成された、発明１１に記載の装置。
［発明２１］アクセス・ポイント基地局の位置決めを容易にするコンピュータ・プログラム製品であって、
ユーザ機器と前記アクセス・ポイント基地局との間の通信のパフォーマンス・パラメータをモニタすることと、
前記パフォーマンス・パラメータに基づいて、前記アクセス・ポイント基地局の位置を評価することと、
を少なくとも１つのコンピュータに対して実行させるためのコードを備えるコンピュータ読取可能記憶媒体を備える、コンピュータ・プログラム製品。
［発明２２］前記コードはさらに、前記アクセス・ポイント基地局において干渉レベルを確認することを前記少なくとも１つのコンピュータに対して実行させ、
前記パフォーマンス・パラメータは、前記干渉レベルに関連付けられた判定基準に基づいている、発明２１に記載のコンピュータ・プログラム製品。
［発明２３］前記ユーザ機器は、予め許可されたユーザ機器のセットに含まれ、
前記コードはさらに、前記予め許可されたユーザ機器のセット以外のエンティティで実行されたハンドオーバの数を確認することを前記少なくとも１つのコンピュータに対して実行させ、
前記パフォーマンス・パラメータは、前記予め許可されたユーザ機器のセット以外のこれらエンティティで実行されたハンドオーバの数に関連付けられた判定基準に基づいている、発明２１に記載のコンピュータ・プログラム製品。
［発明２４］前記ユーザ機器は、予め許可されたユーザ機器のセットに含まれ、
前記コードはさらに、前記予め許可されたユーザ機器のセット内のエンティティで実行されたハンドオーバの数を確認することを前記少なくとも１つのコンピュータに対して実行させ、
前記パフォーマンス・パラメータは、前記予め許可されたユーザ機器のセット内のエンティティで実行されたハンドオーバの数に関連付けられた判定基準に基づいている、発明２１に記載のコンピュータ・プログラム製品。
［発明２５］前記コードはさらに、前記位置が準最適な位置であるかを確認することを前記少なくとも１つのコンピュータに対して実行させる、発明２１に記載のコンピュータ・プログラム製品。
［発明２６］前記コードはさらに、前記パフォーマンス・パラメータとパフォーマンスしきい値との間の比較に基づいて、前記位置が適切な位置であるかを確認することを前記少なくとも１つのコンピュータに対して実行させる、発明２１に記載のコンピュータ・プログラム製品。
［発明２７］アクセス・ポイント基地局の位置決めを容易にするように構成された装置であって、
ユーザ機器と前記アクセス・ポイント基地局との間の通信のパフォーマンス・パラメータをモニタする手段と、
前記パフォーマンス・パラメータに基づいて、前記アクセス・ポイント基地局の位置を評価する手段と
を備える装置。
［発明２８］前記パフォーマンス・パラメータをモニタする手段はさらに、前記アクセス・ポイント基地局によって利用された送信電力を確認する手段を備え、
前記パフォーマンス・パラメータは、前記送信品質に関連付けられた判定基準に基づいている、発明２７に記載の装置。
［発明２９］前記アクセス・ポイント基地局によって利用された送信電力を確認する手段はさらに、前記アクセス・ポイント基地局によって利用された送信電力と、前記ユーザ機器における対応する受信電力との比較を行なう手段を備え、
前記パフォーマンス・パラメータは、前記比較に基づいている、発明２８に記載の装置。
［発明３０］前記パフォーマンス・パラメータをモニタする手段はさらに、前記ユーザ機器と前記アクセス・ポイント基地局との間の通信品質を確認する手段を備え、
前記パフォーマンス・パラメータは、前記通信品質に関連付けられた判定基準に基づいている、発明２７に記載の装置。
［発明３１］前記通信品質は、欠落した通信の数、データ・スループット、または接続設定時間のうちの少なくとも１つに関連付けられている、発明３０に記載の装置。
［発明３２］アクセス・ポイント基地局の位置決めを容易にする方法であって、
アクセス・ポイント基地局の位置を評価することと、
前記位置の評価を通信することと
を備える方法。
［発明３３］前記通信することはさらに、光インジケーションを提供することを備える、発明３２に記載の方法。
［発明３４］前記通信することはさらに、前記評価に関連付けられたフラッシュ周波数にしたがって前記光インジケーションをフラッシュさせることを備える、発明３３に記載の方法。
［発明３５］前記通信することはさらに、前記評価に関連付けられた色スキームにしたがって前記光インジケーションをフラッシュさせることを備える、発明３３に記載の方法。
［発明３６］前記通信することはさらに、オーディオ・インジケーションを提供することを備える、発明３２に記載の方法。
［発明３７］前記通信することはさらに、前記評価に関連付けられたビープ周波数で前記オーディオ・インジケーションをビープさせることを備える、発明３６に記載の方法。
［発明３８］前記通信することはさらに、電子メールまたはショート・メッセージ・サービスのうちの少なくとも１つによって前記評価を送信することを備える、発明３２に記載の方法。
［発明３９］前記通信することはさらに、前記アクセス・ポイント基地局に関連付けられたネットワーク・エンティティに前記評価を提供することを備える、発明３２に記載の方法。
［発明４０］前記通信することはさらに、前記位置が準最適な位置であるかを示すことを備える、発明３２に記載の方法。
［発明４１］前記通信することはさらに、前記位置に関連付けられたパフォーマンス・パラメータが、パフォーマンスしきい値を超えるかを示すことを備える、発明３２に記載の方法。
［発明４２］前記通信することはさらに、前記位置に関連付けられた特定の問題タイプを示すことを備える、発明３２に記載の方法。
［発明４３］アクセス・ポイント基地局の位置決めを容易にするように構成された装置であって、
メモリに格納されたコンピュータ実行可能な構成要素を実行するように構成されたプロセッサを備え、
前記構成要素は、
前記アクセス・ポイント基地局の位置を評価するように構成された評価構成要素と、
前記位置の評価を通信するように構成された通信構成要素と
を備える装置。
［発明４４］前記通信構成要素は、光インジケーションを提供するように構成された、発明４３に記載の装置。
［発明４５］前記通信構成要素は、前記評価に関連付けられたフラッシュ周波数にしたがって前記光インジケーションをフラッシュさせるように構成された、発明４４に記載の装置。
［発明４６］前記通信構成要素は、前記評価に関連付けられた色スキームにしたがって前記光インジケーションをフラッシュさせるように構成された、発明４４に記載の装置。
［発明４７］前記通信構成要素は、オーディオ・インジケーションを提供するように構成された、発明４３に記載の装置。
［発明４８］前記通信構成要素は、前記評価に関連付けられたビープ周波数で前記オーディオ・インジケーションをビープさせるように構成された、発明４７に記載の装置。
［発明４９］前記通信構成要素は、電子メールまたはショート・メッセージ・サービスのうちの少なくとも１つによって前記評価を送信するように構成された、発明４３に記載の装置。
［発明５０］前記通信構成要素は、前記アクセス・ポイント基地局に関連付けられたネットワーク・エンティティに前記評価を提供するように構成された、発明４３に記載の装置。
［発明５１］前記通信構成要素は、前記位置が準最適な位置であるかを示すように構成された、発明４３に記載の装置。
［発明５２］前記通信構成要素は、前記位置に関連付けられたパフォーマンス・パラメータが、パフォーマンスしきい値を超えるかを示すように構成された、発明４３に記載の装置。
［発明５３］前記通信構成要素は、前記位置に関連付けられた特定の問題タイプを示すように構成された、発明４３に記載の装置。
［発明５４］アクセス・ポイント基地局の位置決めを容易にするコンピュータ・プログラム製品であって、
前記アクセス・ポイント基地局の位置を評価することと、
前記位置の評価を通信することと、
を少なくとも１つのコンピュータに対して実行させるためのコードを備えるコンピュータ読取可能記憶媒体を備える、コンピュータ・プログラム製品。
［発明５５］前記コードはさらに、光インジケーションを提供することによって前記評価を通信することを前記少なくとも１つのコンピュータに対して実行させる、発明５４に記載のコンピュータ・プログラム製品。
［発明５６］前記コードはさらに、電子メールまたはショート・メッセージ・サービスのうちの少なくとも１つによって前記評価を送信することを前記少なくとも１つのコンピュータに対して実行させる、発明５４に記載のコンピュータ・プログラム製品。
［発明５７］前記コードはさらに、前記アクセス・ポイント基地局に関連付けられたネットワーク・エンティティに前記評価を提供することを前記少なくとも１つのコンピュータに対して実行させる、発明５４に記載のコンピュータ・プログラム製品。
［発明５８］前記コードはさらに、前記位置が準最適な位置であるかを示すことを前記少なくとも１つのコンピュータに対して実行させる、発明５４に記載のコンピュータ・プログラム製品。
［発明５９］前記コードはさらに、前記位置に関連付けられたパフォーマンス・パラメータが、パフォーマンスしきい値を超えるかを示すことを前記少なくとも１つのコンピュータに対して実行させる、発明５４に記載のコンピュータ・プログラム製品。
［発明６０］前記コードはさらに、前記位置に関連付けられた特定の問題タイプを示すことを前記少なくとも１つのコンピュータに対して実行させる、発明５４に記載のコンピュータ・プログラム製品。
［発明６１］アクセス・ポイント基地局の位置決めを容易にするように構成された装置であって、
アクセス・ポイント基地局の位置を評価する手段と、
前記位置の評価を通信する手段と
を備える装置。
［発明６２］前記評価を通信する手段はさらに、光インジケーションを提供する手段を備える、発明６１に記載の装置。
［発明６３］前記光インジケーションを提供する手段はさらに、前記評価に関連付けられたフラッシュ周波数にしたがって前記光インジケーションをフラッシュさせる手段を備える、発明６２に記載の装置。
［発明６４］前記光インジケーションを提供する手段はさらに、前記評価に関連付けられた色スキームにしたがって光インジケーションをフラッシュさせる手段を備える、発明６２に記載の装置。
［発明６５］前記評価を通信するための手段はさらに、オーディオ・インジケーションを提供する手段を備える、発明６１に記載の装置。
［発明６６］前記オーディオ・インジケーションを提供する手段はさらに、前記評価に関連付けられたビープ周波数で前記オーディオ・インジケーションをビープさせる手段を備える、発明６５に記載の装置。
【図１】
0005373195.tif 000002
【図２】
0005373195.tif 000003
【図３】
0005373195.tif 000004
【図４】
0005373195.tif 000005
【図５】
0005373195.tif 000006
【図６】
0005373195.tif 000007
【図７】
0005373195.tif 000008
【図８】
0005373195.tif 000009
【図９】
0005373195.tif 000010
【図１０】
0005373195.tif 000011
【図１１】
0005373195.tif 000012
【図１２】
0005373195.tif 000013